(57)【要約】      （修正有）【課題】表示体を脱落させることなく、確実に保持する表示体保持具を提供する。【解決手段】表示体保持具１は、ベース２と、下部が前記ベース２に挿入されることにより突き合わされた状態でベース２から起立し、上部に表示体５０の差込口を開き状に形成する一対の挟持片３、３と、前記突き合わせ状態の一対の挟持片３、３を挟み込んで圧接するばね部材５とを備える。【選択図】図１
0003144990.tif 000002
【実用新案登録請求の範囲】
【請求項１】
ベースと、下部が前記ベースに挿入されることにより突き合わされた状態でベースから起立し、上部に表示体の差込口を開き状に形成する一対の挟持片と、前記突き合わせ状態の一対の挟持片を挟み込んで圧接するばね部材とを備えていることを特徴とする表示体保持具。
【請求項２】
前記一対の挟持片は、互いに離れる方向に向いたガイド部が上部に形成され、前記突き合わせによってガイド部の間が前記差込口となることを特徴とする請求項１に記載の表示体保持具。
【請求項３】
前記ベースは、前記ばね部材を外側から隠蔽する隠し壁部を備えていることを特徴とする請求項１に記載の表示体保持具。
【請求項４】
前記挟持片の下部に鉤状の係止部が形成され、前記ベースに前記係止部が係止される係止バーが形成されていることを特徴とする請求項１〜３のいずれか１項に記載の表示体保持具。
【請求項５】
前記ばね部材は、ダブルクリップであることを特徴とする請求項１に記載の表示体保持具。
【考案の詳細な説明】
【技術分野】
【０００１】
本考案は、ポップカード、販促物等の告知用ポスター、写真、その他のシート状の表示体を展示するため、表示体を着脱自在に保持する表示体保持具に関する。
【背景技術】
【０００２】
パチンコやスロット等の遊戯店では遊戯台の上部に表示体保持具を取り付け、ポップカード等の表示体を表示体保持具に保持させて店の宣伝やイベントの宣伝を行っている。従来の表示体保持具は、特開２００３−９８９６４号公報や実用新案登録第３１３６１８９号公報に記載されるように、多重に巻回されたコイルからなる挟み部材をベースから起立させた構造となっている。シート状の表示体は、挟み部材のコイル間に差し込まれることによりコイルによって挟持されて展示が行われる。
【特許文献１】特開２００３−９８９６４号公報
【特許文献２】実用新案登録第３１３６１８９号公報
【考案の開示】
【考案が解決しようとする課題】
【０００３】
しかしながら、従来の表示体保持具では、コイルは保持力が小さいため、厚みがある表示体や重量の大きな表示体を十分に保持することができず、表示体が脱落する問題を有している。
【０００４】
本考案は、このような従来の問題点を考慮してなされたものであり、表示体を確実に保持して不用意な脱落を防止することができる構造の表示体保持具を提供することを目的とする。
【課題を解決するための手段】
【０００５】
上記目的を達成するため、請求項１記載の表示体保持具は、ベースと、下部が前記ベースに挿入されることにより突き合わされた状態でベースから起立し、上部に表示体の差込口を開き状に形成する一対の挟持片と、前記突き合わせ状態の一対の挟持片を挟み込んで圧接するばね部材とを備えていることを特徴とする。
【０００６】
請求項１記載の表示体保持具では、一対の挟持片が相互に突き合わされた状態でベースから起立し、この一対の挟持片に対して上部の差込口から表示体を差し込む。このことにより表示体が挟持片に挟み込まれて保持される。一対の挟持片は、ばね部材によって挟み込まれて圧接状態となっているため、保持力が大きく、表示体を確実に保持することができ、表示体の脱落を防止することができる。
【０００７】
請求項２記載の表示体保持具は、請求項１に記載の表示体保持具であって、前記一対の挟持片は、互いに離れる方向に向いたガイド部が上部に形成され、前記突き合わせによってガイド部の間が前記差込口となることを特徴とする。
【０００８】
請求項３記載の表示体保持具は、請求項１に記載の表示体保持具であって、前記ベースは、前記ばね部材を外側から隠蔽する隠し壁部を備えていることを特徴とする。
【０００９】
請求項４記載の表示体保持具は、請求項１〜３のいずれか１項に記載の表示体保持具であって、前記挟持片の下部に鉤状の係止部が形成され、前記ベースに前記係止部が係止される係止バーが形成されていることを特徴とする。
【００１０】
請求項５記載の表示体保持具は、請求項１に記載の表示体保持具であって、前記ばね部材は、ダブルクリップであることを特徴とする。
【考案の効果】
【００１１】
本考案によれば、ばね部材が一対の挟持片を圧接状態とするため、挟持片の保持力を大きくすることができ、厚みのある表示体や重量の大きな表示体であっても脱落することなく確実に保持することができる。
【考案を実施するための最良の形態】
【００１２】
以下、本考案を図示する実施形態により具体的に説明する。図１は、本考案の一実施形態の表示体保持具１の斜視図、図２は縦断面図、図３は分解斜視図、図４はベース２の正面図、図５は一対の挟持片３、３の断面図である。この実施形態の表示体保持具１は、ベース２と、一対の挟持片３、３と、ばね部材５とを備えている。
【００１３】
ベース２は一対の挟持片３、３を支持するものであり、平面矩形状のベース部１１と、ベース部１１から起立した隠し壁部１２とを有している。ベース１１の略中央部分には、横長の２本のスリット１３、１３が形成され、スリット１３、１３の間には縦断面が四角形の係止バー１４が形成されている。スリット１３、１３は、ばね部材５を下方から挿入するためのものである。係止バー１４は、一対の挟持片３、３を突き合わせ状態で起立させるためのものである。
【００１４】
隠し壁部１２は、それぞれのスリット１３、１３の外側に位置するようにベース部１１に一体的に形成されている。隠し壁部１２は、スリット１３、１３から挿入されるばね部材５を外側から隠蔽するものであり、その高さはベース部１１の上面から延びているばね部材５の長さよりも大きくなるように設定されている。
【００１５】
この実施形態において、ベース部１１には、ビス用凹部１５が形成されている。ビス用凹部１５はベース１１の左右両側に形成されており、ビス（図示省略）が挿入されるビス穴１５ａを有している。ビス用凹部１５は、表示体保持具１を遊戯台、その他の外部部材に装着させるために用いられるものであり、必要がなければ形成する必要がない。ビス用凹部１５を形成しない場合には、ベース部１１の底面を両面粘着テープによって遊戯台等に装着しても良い。
【００１６】
それぞれの挟持片３、３は、平面状となっている背面部２１と、背面部２１の反対側に形成された突壁部２２と、背面部２１の下部に連設された脚部２３とを有している。突壁部２２は、下向きのコ字形となって正面側に突出しており、突壁部２２の内部は、平面状のばね受け面２４となっている。ばね受け面２４は、ばね部材５の端部が圧接するものである。この実施形態において、２個のばね部材５を用いるものであり、ばね受け面２４の中央部分には２個のばね部材５を仕切るための仕切壁２５が縦方向に突出するように形成されている。
【００１７】
脚部２３には、鉤状の係止部２６が形成されている。鉤状となっている係止部２６は、ベース２の係止バー１４に係止されるものであり、この係止により挟持片３がベース２から起立した状態を保持すると共に、ベース２から脱落しないようになっている。この場合、一対の挟持片３、３は、係止部２６が係止バー１４に対して両側から係止する向きとなってベース２に配置される。
【００１８】
平面状となっている背面部２１は、挟持片３、３の間に差し込まれる表示体５０に面接触して表示体５０を保持するものである。それぞれの背面部２１の上部には、ガイド部２７が連設するように形成されている。ガイド部２７は、湾曲した形状となっており表示体５０を平面状の背面部２１に案内する。一対の挟持片３、３は、背面部２１が突き合わされるようにベース２に組み付けられるが、この組み付けの際には、一対の挟持片３、３のガイド部２７が互いに離れるようにガイド部２７が湾曲している。ガイド部２７が離れることにより、一対の挟持片３、３には表示体５０を差し込むための差込口２８が開き状に形成される。
【００１９】
以上のベース２及び一対の挟持片３、３は、プラスチックによって全体が形成されている。これにより、軽量とすることができ、取り扱い性が向上すると共に量産が容易となる。
【００２０】
ばね部材５は、ベース２のスリット１３に対し下方から挿入されて一対の挟持片３、３を挟み込み、その先端部分が一対の挟持片３、３のばね受け面２４、２４に圧接する。この圧接により、挟持片３、３は背面部２１が突き合わせ状態で圧接されるため、表示体５０の挟持が可能となる。
【００２１】
この実施形態において、ばね部材５として市販のダブルクリップを用いるものである。ダブルクリップは、金属薄板を略三角形状に屈曲してクリップ本体とし、クリップ本体の屈曲先端部分に目玉部を形成し、この目玉部に操作レバーを取り付けた構造となっている。この実施形態においては、操作レバーを除去したクリップ本体を用いるものである。図１及び図２において、３１はダブルクリップのクリップ本体であり、連結部３２と、連結部３２の両端から相互に接近して先端部分が密着するように斜め方向に屈曲された板ばね部３３とを備え、板ばね部３３の先端部分に目玉部３４が形成されている。このクリップ本体３１をベース２のスリット１３から挿入して板ばね部３３の先端部分を挟持片３、３のばね受け面２４に圧接させることにより、ダブルクリップによる挟持片３、３の組み付けが行われる。
【００２２】
次に、この実施形態の表示体保持具の組み立てを説明する。図３に示すように、背面部２１が対面するように一対の挟持片３、３を対向させ、それぞれの挟持片３、３の脚部２３をベース２のスリット１３に上方から挿入する。そして、ベース２の係止バー１４に脚部２３を両側から係止させて一対の挟持片３、３を起立状態とする。このとき、一対の挟持片３、３は背面部２１が突き合わされた状態となる。その後、ばね部材５としてのクリップ本体３１をベース２のスリット１３に対し下方から挿入する。クリップ本体３１は、背面部２１が突き合わされた状態となっている一対の挟持片３、３のばね受け面２４に対して板ばね部３３の先端部分が圧接するように組み付けられる。このクリップ本体３１を２個組み付けて表示体保持具１とする。組み付けられたクリップ本体３１は、隠し壁部１２によって隠蔽されるため、外部から見えることがなく、外観が低下することがない。
【００２３】
以上によって組み立てられた表示体保持具１は、背面部２１の上部のガイド部２７が互いに離れる方向に向くため、ガイド部２７の間が差込口２８となる。この差込口２８に向かって表示体５０を図２の矢印方向に沿って動かし、表示体５０を一対の挟持片３、３の背面部２１の間に差し込む。このとき、差込口２８が開き状となっているため、表示体５０を簡単に差込口２８に差し込んで一対の挟持片３、３の背面部２１の間に挿入できる。一対の挟持片３、３は、ばね部材５としてのクリップ本体３１によって背面部２１が相互に圧接された状態となっており、背面部２１の間に差し込まれた表示体５０は、背面部２１が両側から面接触した状態で挟持片３、３に保持される。
【００２４】
このような表示体保持具１では、クリップ本体３１（ばね部材５）によって一対の挟持片３、４が圧接状態で突き合わされた状態となっているため、一対の挟持片３、３の間に差し込まれた表示体５０を大きな保持力で保持することができる。このため、厚みがあったり、重量の大きな表示体５０であっても確実に保持することができる。又、この実施形態では、挟持片３の背面部２１が表示体５０に面接触するため、さらに保持力を大きくすることができる。なお、表示体５０としては、一対の挟持片３、３の間に滑り込み易いプラスチックが良好であるが、これに限定されるものではない。
【００２５】
又、この実施形態では、クリップ本体３１が隠し壁部１２によって隠蔽されるため、外部から見えることがなく、外観が低下することがない。さらに、一対の挟持片３、３は、脚部２３の係止部２６がベース２の係止バー１４に係止するため、組み立て前に挟持片３、３がベース２から脱落することがない。
【００２６】
本考案は、以上の実施形態に限定されることなく、種々変更が可能である。例えば、ばね部材５としては、挟持片３、３を挟み込むものであれば、ダブルクリップ以外の構造であっても良い。又、隠し壁部１２を省いても良い。
【図面の簡単な説明】
【００２７】
【図１】本考案の一実施形態の表示体保持具を示す斜視図である。
【図２】図１の縦断面図である。
【図３】表示体保持具の分解斜視図である。
【図４】ベースの正面図である。
【図５】挟持片の突き合わせ状態を示す縦断面図である。
【符号の説明】
【００２８】
１  表示体保持具
２  ベース
３  挟持片
５  ばね部材
１２  隠し壁部
１４  係止バー
２６  係止部
２７  ガイド部
２８  差込口
５０  表示体
【図１】
0003144990.tif 000003
【図２】
0003144990.tif 000004
【図３】
0003144990.tif 000005
【図４】
0003144990.tif 000006
【図５】
0003144990.tif 000007